(57)【要約】      （修正有）【課題】陳列ガラスの飾り棚に置く新鮮な食品等が遠くから鮮明にわかり、照明にかかる光熱費を低減し且つ、食品の新鮮さ・寿命などが長く保たれる冷蔵ショーケースを提供する。【解決手段】冷蔵ショーケースの外部（面）窓に特殊な真空ガラスユニットと特殊仕様のＬＥＤ（導光板付）ユニットを有効に活用しそれらを適所に配置し課題を解決した。長方形の立体からなるシンプルなデザインで、ショーケースの中の展示品が左右の側面、上面及び前面から透視的にわかり易くするためにペアーガラス、発光型／ＬＥＤ表示パネル、特殊な真空ガラスを各部に使用した。食料品の場合などは、新鮮さ・味の劣化等の防止の為に開発した高輝度表示付／省エネ冷蔵ショーケース５０である。【選択図】図１
0003154464.tif 000002
【実用新案登録請求の範囲】
【請求項１】
ショーケース台にケース台フレームを持って構築されたショーケースの飾り用の棚に商品・食品等を展示する冷蔵ショーケースに於いて、
イ）  ショーケースのフロントに透明ベアーガラスを使用し、
ロ）  ショーケースの天上板にベアーガラスを使用し、
ハ）  ショーケースの裏戸に、真空ガラスユニットを使用し、
ニ）  ショーケースの展示部の飾り用の棚に、ＬＥＤ（導光板付）ユニットを使用し、
構成されたことを特徴とする高輝度表示付／省エネ冷蔵ショーケース。
【請求項２】
ショーケース台にケース台フレームを持って構築されたショーケースの飾り用の棚に商品・食品等を展示する冷蔵ショーケースに於いて、
イ）  ショーケースのケース台フレームの枠内の左側板及び右側板に真空ガラス付／ＬＥ      Ｄ（導光板付）表示パネルを使用し、
ロ）  ショーケースのケース台フレームの枠内の天上板に真空ガラス付／ＬＥＤ（導光板      付）表示パネルを使用し、
ハ）  ショーケースのケース台フレームの棚取付板のショーケースの展示部の棚にＬＥＤ    （導光板付）ユニットを使用した、
ことを特徴とする高輝度表示付／省エネ冷蔵ショーケース。
【考案の詳細な説明】
【技術分野】
【０００１】  本考案は、陳列ガラスの飾り棚及び新鮮な食品の売り物などに使用する省エネ冷蔵ショーケースに関する考案である。
【背景技術】
【０００２】  従来の冷蔵ショーケースにおいては、裏側で引き戸、引き扉又は上開き扉付きを使用した冷蔵ショーケースにおいては、特許および実用新案の出願の検索調査の結果においては
イ）  冷蔵ショーケースの照明装置による照明面の照度をＬＥＤにて高める（例、特許      文献１）。又、冷蔵ショーケースの棚板下の照明装置から発生する熱が棚板に伝導      されるのをＬＥＤの配置にて対応する（例、特許文献２）。
ロ）  （参考）「複層真空ガラス及びその製造方法」（例、特許文献３）。【０００３】
【特許文献１】  特開２００６−２１０６６９号公報
【特許文献２】  特開２００８−２０６７５９号公報
【特許文献３】  特開２００６−１１１４５７号公報
【考案の開示】
【考案が解決しょうとする課題】
【０００４】  現，市販品のショーケースから下記の性能を改良し、ＰＲ効果を有利にしたもの。
イ）  商品・製品の展示品の概要が、遠いところ（場所）から鮮明に判り易いこと。
ロ）  冷蔵庫の冷却効率を従来品より良くすること。
ハ）  新鮮な食品（野菜、魚、果物など）の劣化の防止日を長くすること。
【０００５】  即ち、大きい広場に展示のショーケース（例，スーパー）、その他これに該当の展示場にて、商品・製品の展示のときに遠いところ、また競合のメーカの類似品との競合提示のときに使用する。
【０００６】  ▲１▼  ＬＥＤ表示パネルとカラー樹脂板の併用の特殊な設計ユニット品を採用して、
▲２▼  特殊な真空ガラスの採用による特殊な設計手法によって、
▲３▼  前記の併合による設計手法にての波及効果を期待すること。
これらの対応にて従来にない、販売時の営業効率および商品の劣化防止、細菌発生、寿命期間の延長、新鮮さの保持などの改良向上をシンプルでスマートなデザインの冷蔵ショーケースを使用する。
【０００７】  本考案は、かかる従来技術の問題点を解決するためのものでその目的は、従来から使用のものから脱して角張った形状で簡素でシンプルなデザインを基調にすることで、ＬＥＤを利用した効果を発揮することができる。
また、直線的なデザインを基調としているのでショーケースの製作も簡易に、しかも組付け時も簡単であり、製造時の形物の特殊な治具も必要ない。
【０００８】  それ故に、各ユーザからの注文対応も経営的に負荷が軽く、早急な対応ができるために今までになかった新しい特色をもった冷蔵ショーケースの市場への参入が出来、同業界での競争にも、要望事項にて色んな面にて有利になり、ユーザから喜ばれる。
【０００９】  以上を纏めれば、新規な発光技術のＬＥＤの特徴を巧く、また電気エネルギー効率を高めるために、新しいガラスにての真空技術を巧く利用することで室内の熱エネルギーを少なく押さえることを可能にする事ができたのは他の業界品の有効な活用方法である。
【課題を解決するための手段】
【００１０】  本考案は、前記のことを解決するために解決したので順を追って以下に述べる。
従来使用の冷蔵ショーケースは、食料品・野菜などの鮮度を保持するために室内を低温度に保つためにショーケースはガラス張りしたものが通常であった。
より冷蔵ショーケースの付加価値をより高めるために、下記に主な目的から述べる。
【００１１】  その１）  商品の劣化防止、細菌発生、寿命期間の延長、新鮮さの保持等の改良向上のために真空ガラスを用いての対応を述べる。
これらの技術対応のためには、２枚のガラスの間にある真空層をＬＥＷ−Ｅ膜にて覆うことで究極の断熱性能を発揮する。また、中空層にアルゴンガスを封入したものも使用。
即ち、ガラス間の真空層は、熱の伝導と対流を防ぐ。またＬＥＷ−Ｅ膜で熱の放射を抑えることできる。よって、ハイブリッド構造の複層真空ガラスを使用して対応する。
【００１２】  これらの物をショーケースの適宜な所に使用すれば超高断熱は、熱貫流率（Ｗ／ｍ２ｋ）１枚ガラスと比較しては約１／６になる。そのために室内の冷温保持の効率が高くなる。
また、ガラスに発生する結露も、室外（外部）の温度をカットすることで発生にくい。且つ、ショーケースに太陽熱エネルギーが直接・間接に作用するときも１枚ガラスに対して、遮熱性能を比較して、約５倍の太陽熱をカットした冷房効果を行うことができる。
【００１３】  なお、ＵＶカット付（真空ガラスとＬＯＷ−Ｅガラス等で構成）を使用するので紫外線カット率（％）が約９０カット。１枚ガラス（約３０％）の約３倍が可能である。
尚、蛍光灯等一般照明にも紫外線が含まれているが、今回はショウケース内の照明に発光ダイオード（ＬＥＤ）を使い野菜・生物の食品等の冷凍庫に使い目的を果たす。
【００１４】  その２）  販売時の営業効率を高める為に、遠くからの商品・製品などの目視化とシンブルでスマートなデザインの冷蔵ショーケースでの総合的なＰＲ化についてである。
樹脂材の導光板の表面に特殊加工法（例，ピラミット型の超音波エンボス加工）でキズを実施し、導光板の端面の周囲に発光ダイオード（ＬＥＤ）をセットして、導光板の両側で拡散板で挟み筐体にて導光板を保持固定したものも必要に応じて使用する。
【００１５】  なお、１枚の導光板で両面発光ができる技術の開発で薄型のコンパクト製品ができる。従って、これらの特徴を発揮させるために、本考案のショーケースの所定の所に巧く使って効果をだした。その詳細は、別項目の実施するための形態のところにて述べる。
【考案の効果】
【００１６】  本考案は、上述の構成であるので従来の冷蔵ショーケースに比べ次の効果を奏する。
イ）従来のショーケースに使用の蛍光灯に比べ、発光ダイオード（ＬＥＤ）の使用で、
（１）蛍光灯に比べ昆虫の好む紫外線の波長を出さない為に内部に置く食べ物等は            虫が寄りつきにくい。
（２）また、静電気も発生しにくいので、ほこりや塵などもつきにくい。
（３）消費電力が、蛍光灯に比べ従来の１／５ですみ、ＬＥＤの長寿命のために、            メンテナンスやコストの削減が可能である。
【００１７】      （４）ＬＥＤの超高輝度（白色発光）の使用で隅々まで均一な照度が可能である。
（５）メタクリル樹脂板の両面にピラミッド型（エンボス加工による）高効率導光            板の使用が可能である。
（又、１枚の導光板（超音波特殊加工による）で薄型両面発光板の使用も可）
ロ）ショーケースの内部の商品又は品物が遠くから鮮明に見えてユーザへのＰＲの効果      が大であるので、購買者（お客さん）への好印象の影響が大で営業価値を高める。
【考案を実施するための最良の形態】
【００１８】以下、本考案の実施の形態を図１の実施例について述べる。
課題の実施例は、イ）展示品又は名称の表示が遠いところから識別判断が鮮明にわかること。  ロ）また、野菜・魚などを展示するときに、従来より新鮮で、長い寿命等の効果を発揮する為にＥＬＤを有効な所に採用し、目的を大成した事の構成をのべる。【００１９】  ５０は、長方形の立方体したシンプルなデザインで、ショーケースの中の展示品が左右の側面、上面及び前面から透視的にわかり易くするためにペアーガラス、発光型／ＬＥＤ表示パネル、特殊の真空ガラスを各部に使用したことで、しかも、食料品の場合などは、新鮮さ・味の劣化等の防止の為に開発した「高輝度表示付／省エネ冷蔵ショーケース」である。【００２０】  本考案は、ショーケース台（４０）にケース台フレーム（４１）を取付け、フロント（１）の取付けフレーム内に透明ペアーガラス（８）を取付ける。天上板（４）用の取付けフレーム内には、ベアーガラス（７）及びＬＥＤ（導光板付）表示パネル（３０）を、また、左右側板（２、３）には真空ガラス付／ＬＥＤ（導光板付）表示パネルを取付ける。
棚（５）にも、真空ガラス付／ＬＥＤ（導光板付）表示パネルを取付ける。且つ、裏戸（６）には、真空ガラス（スペーシア）ユニット（２０）を装着して構成した物である。【００２０】
0003154464.tif 000003
１０は、複層真空ガラス（２０）とＬＥＤ（導光板付）ユニット（３０）とを組合せて、一体化したもので、組合わせた一体時の厚みは約２０ミリ程度で構成されている。
0003154464.tif 000004
８は、２重にした板ガラスの間に空気を入れた断熱用ガラスの透明ペアーガラスであって
ショーケースの室内部が室外から見える透明仕様の透明ペアーガラス（以下、これを
0003154464.tif 000005
３０は、超音波によるエンボス加工式導光板（１枚の導光板で薄型両面発光をする）の（両面発光型）のＬＥＤ（導光板付）ユニットである。
0003154464.tif 000006
【００２１】１７は、ショーケース内の温暖化に伴う冷却水の溜まりの水タンクである。
１８は、ショーケース内の温度・時間（制御）用タイマ等の電気制御盤である。
１９は、ショーケース内を冷やす為の冷凍機である。【００２２】２０は、非常に高い断熱性を持つ真空ガラス  スペーシアＳＴ  ＩＩとＬＯＷ−Ｅガラスで、
0003154464.tif 000007
２１は、熱エネルギーの熱の放射を防ぎための「ＬＯＷ−Ｅガラス」である。
２２は、（２枚ガラスの間に真空を持つ）熱の伝導・熱移動の対流を防止の真空ガラス。
２３は、（２枚のガラスの間（真空）を保持するための）スペーサである。
２４は、ガラスの間で密閉せるための封着材である。
２５は、（０．２ミリの厚みの）ＬＯＷ−Ｅ膜を形成する真空層である。
２６は、中空層で断熱材として使用のアルゴンガス層である。
２７は、熱の放射を防ぐためのＬＯＷ−Ｅ膜である。【００２３】  なお、これらは次の機能を目的に使用される。
0003154464.tif 000008
３１は、電灯用及び発光用として使用される  発光ダイオード（ＬＥＤ）である。
３２は、導光板の発光を拡散するための拡散板である。
３３は、特殊（ピラミッド型エンボス）加工によってＬＥＤの発散の発光を高効率にガイドする導光板である。
３４は、導光板及び拡散板の間隔を保持するための筐体である。
３５は、拡散板の間隔に存在する空気層である。【００２４】４０は、本考案のショーケースのベースとなる機台のショーケース台である。
４１は、ショーケース台に取付けのアルミ材又は鋼材を使用した機枠で各機枠内に、次の
0003154464.tif 000009
４２は、ショーケース内を冷温する冷凍室（冷凍庫）である。
４３は、冷凍機用モータ又は、ランプ用等の電源用の差し込みプラグである。
４４は、ＬＥＤ灯又は、蛍光灯（４５ａ）用のランプカバーである。
４５は、展示品又はショーケース内を照らす為のＬＥＤ灯である。
４６は、冷温風をショーケース内に送り込み取り込み用のファンである。
４７は、ファンコイル
４８は、ショーケース内に冷温風を送り込み取り込み用の通気孔である。
４９は、電源用ＯＮ／ＯＦＦ用のスイッチの表示板である。【００２５】５０は、本考案の「高輝度表示付／省エネ冷蔵ショーケース」である。
５２は、上開き扉用の連結ロットである。
５４は、上開き扉用のショックアブソーバである。
５５は、ショックアブソーバ用のアーム支点である。
５６は、カバー及びケース台フレームをショーケース台に取付時のボルト、ネジである。
５７は、食べ物、商品などを展示セットする為の棚の取付板である。
５８は、水タンク、冷凍機、及び制御盤の取付け部屋の各カバーである。
【図面の簡単な説明】
【００２６】
【図１】  本考案の  高輝度表示付／省エネ冷蔵ショーケースの斜視図である。
【図２】  本考案の図１の  裏側（背面）から見た斜視図である。
【図３】  本考案の図１の断面Ａ−Ａを示す。
【図４】  （参考用）複層真空ガラス／（商品名；スペーシヤ）の構成図  （ａ）  複層真空ガラスの一部切断面の斜視図  （ｂ）  マル枠内のＫの部分拡大図
【図５】  （参考用）両面発光型／ＬＥＤ（薄型）表示パネルの断面図
【図６】  （参考用）図５の各構成部品の斜視図である。
【図７】  真空ガラス／ＬＥＤ（導光板付）表示パネルの組合せ断面図  （ａ）  真空ガラスとＬＥＤ（導光板付）表示パネルの組合せ断面図  （ｂ）（参考用）真空ガラスの一部切断面の斜視図
【図８】  従来の（上開き扉の）冷蔵ショーケースの断面図
【符号の説明】
【００２７】１  フロント
２  左側板、      ３  右側板
４  天上板、      ４ａ  天上板前、      ４ｂ  天上板後
５  棚、          ５ａ  棚上、          ５ｂ  棚下
６  裏戸、        ６ａ  裏戸外、        ６ｂ  裏戸内
0003154464.tif 000010
１５  ＬＥＤ（導光板付）表示パネル
１７  水タンク
１８  電気制御盤
１９  冷凍機
0003154464.tif 000011
２１  ＬＯＷ−Ｅガラス、    ２３  スペサー
２２  真空ガラス      ２５  真空
２７  ＬＯＷ−Ｅ膜
0003154464.tif 000012
３１  ＬＥＤ、  （又は，発光ダイオード）
３２  拡散板
３３  導光板
３５  空気層【００２８】４０  ショーケース台
４１  ケース台フレーム、    ４１ａ  フレーム左、      ４１ｂ  フレーム右
４１ｃ  フレーム天上、  ４１ｄ  フレーム裏戸、    Ｉ４ｅ  フレーム棚
４２  冷凍室、      又は，冷凍庫
４３  プラグ、      ４４  ランプ  カバー、
４５  ＬＥＤ灯、    ４５ａ  蛍光灯
４６  ファン、      ４７  ファン  コイル、      ４８  通気孔
４９  スイッチ表示板
５０  高輝度表示付／省エネ冷蔵ショーケース
５４  ショックアブソーバー            ５６  ネジ、  又は，ボルト
５７  棚取付板
５８  カバー、    ５８ａ  水タンク、    ５８ｂ  冷凍機、    ５８ｃ  制御盤【００２９】
0003154464.tif 000013
Ｔ  厚（さ）＝（Ｔ１＋Ｔ２＋Ｔ３）≒２２ミリ
Ｔ１  導光板厚、  Ｔ２  スペサー厚、  Ｔ３  真空ガラス厚
【図１】
0003154464.tif 000014
【図２】
0003154464.tif 000015
【図３】
0003154464.tif 000016
【図４】
0003154464.tif 000017
【図５】
0003154464.tif 000018
【図６】
0003154464.tif 000019
【図７】
0003154464.tif 000020
【図８】
0003154464.tif 000021
【手続補正書】
【提出日】平成21年7月22日(2009.7.22)
【手続補正１】
【補正対象書類名】実用新案登録請求の範囲
【補正対象項目名】全文
【補正方法】変更
【補正の内容】
【実用新案登録請求の範囲】
【請求項１】
ショ−ケ−ス台にケ−ス台フレ−ムを持って構築されたショ−ケ−スの飾り用の棚に商品・食品等を展示する冷蔵ショ−ケ−スに於いて、
イ）  ショ−ケ−スのフロントに透明ベア−ガラスを使用し、
ロ）  ショ−ケ−スの天上板にペア−ガラスを使用し、
ハ）  ショ−ケ−スの裏戸に、真空ガラスユニットを使用し、
ニ）  ショ−ケ−スの展示部の飾り用の棚に、導光板付のＬＥＤユニットを使用し、
構成されたことを特徴とする高輝度表示付／省エネ冷蔵ショ−ケ−ス。
【請求項２】
ショ−ケ−ス台にケ−ス台フレ−ムを持って構築されたショ−ケ−スの飾り用の棚に商品・食品等を展示する冷蔵ショ−ケ−スに於いて、
イ）  ショ−ケ−スにケ−ス台フレ−ムの枠内の左側板及び右側板に真空ガラス付／導光板付のＬＥＤ表示パネルを使用し、
ロ）  ショ−ケ−スのケ−ス台フレ−ムの枠内の天上板に真空ガラス付／導光板付のＬＥＤ表示パネルを使用し、
ハ）  ショ−ケ−スのケ−ス台フレ−ムの棚取付板のショ−ケ−スの展示部の棚に導光板付のＬＥＤユニットを使用した、
ことを特徴とする高輝度表示付／省エネ冷蔵ショ−ケ−ス。
【手続補正書】
【提出日】平成21年7月22日(2009.7.22)
【手続補正１】
【補正対象書類名】明細書
【補正対象項目名】全文
【補正方法】変更
【補正の内容】
【考案の詳細な説明】
【技術分野】
【０００１】  本考案は、陳列ガラスの飾り棚及び新鮮な食品の売り物などに使用する省エネ冷蔵ショ−ケ−スに関する考案である。
【背景技術】
【０００２】  従来の冷蔵ショ−ケ−スにおいては、裏側で引き戸、引き扉又は上開き扉付きを使用した冷蔵ショ−ケ−スにおいては、特許および実用新案の出願の検索調査の結果においては
イ）  冷蔵ショ−ケ−スの照明装置による照明面の照度をＬＥＤにて高める（例、特許      文献１）。又、冷蔵ショ−ケ−スの棚板下の照明装置から発生する熱が棚板に伝導      されるのをＬＥＤの配置にて対応する（例、特許文献２）。
ロ）（参考）「複層真空ガラス及びその製造方法」（例、特許文献３）。【０００３】
【特許文献１】  特開２００６−２１０６６９号公報
【特許文献２】  特開２００８−２０６７５９号公報
【特許文献３】  特開２００６−１１１４５７号公報
【考案の開示】
【考案が解決しょうとする課題】
【０００４】  現，市販品のショ−ケ−スから下記の性能を改良し、ＰＲ効果を有利にしたもの。
イ）  商品・製品の展示品の概要が、遠いところ（場所）から鮮明に判り易いこと。
ロ）  冷蔵庫の冷却効率を従来品より良くすること。
ハ）  新鮮な食品（野菜、魚、果物など）の劣化の防止日を長くすること。
【０００５】  即ち、大きい広場に展示のショ−ケ−ス（例，ス−パ−）、その他これに該当の展示場にて、商品・製品の展示のときに遠いところ、また競合のメ−カの類似品との競合提示のときに使用する。
【０００６】  ▲１▼  ＬＥＤ表示パネルとカラ−樹脂板の併用の特殊な設計ユニット品を採用して、
▲２▼  特殊な真空ガラスの採用による特殊な設計手法によって、
▲３▼  前記の併合による設計手法にての波及効果を期待すること。
これらの対応にて従来にない、販売時の営業効率および商品の劣化防止、細菌発生、寿命期間の延長、新鮮さの保持などの改良向上をシンプルでスマ−トなデザインの冷蔵ショ−ケ−スを使用する。
【０００７】  本考案は、かかる従来技術の問題点を解決するためのものでその目的は、従来から使用のものから脱して角張った形状で簡素でシンプルなデザインを基調にすることで、ＬＥＤを利用した効果を発揮することができる。
また、直線的なデザインを基調としているのでショ−ケ−スの製作も簡易に、しかも組付け時も簡単であり、製造時の形物の特殊な治具も必要ない。
【０００８】  それ故に、各ユ−ザからの注文対応も経営的に負荷が軽く、早急な対応ができるために今までになかった新しい特色をもった冷蔵ショ−ケ−スの市場への参入が出来、同業界での競争にも、要望事項にて色んな面にて有利になり、ユ−ザから喜ばれる。
【０００９】  以上を纏めれば、新規な発光技術のＬＥＤの特徴を巧く、また電気エネルギ−効率を高めるために、新しいガラスにての真空技術を巧く利用することで室内の熱エネルギ−を少なく押さえることを可能にする事ができたのは他の業界品の有効な活用方法である。
【課題を解決するための手段】
【００１０】  本考案は、前記のことを解決するために解決したので順を追って以下に述べる。
従来使用の冷蔵ショ−ケ−スは、食料品・野菜などの鮮度を保持するために室内を低温度に保つためにショ−ケ−スはガラス張りしたものが通常であった。
より冷蔵ショ−ケ−スの付加価値をより高めるために、下記に主な目的から述べる。
【００１１】  その１）  商品の劣化防止、細菌発生、寿命期間の延長、新鮮さの保持等の改良向上のために真空ガラスを用いての対応を述べる。
これらの技術対応のためには、２枚のガラスの間にある真空層をＬＥＷ−Ｅ膜にて覆うことで究極の断熱性能を発揮する。また、中空層にアルゴンガスを封入したものも使用。
即ち、ガラス間の真空層は、熱の伝導と対流を防ぐ。またＬＥＷ−Ｅ膜で熱の放射を抑えることができる。よって、ハイブリッド構造の複層真空ガラスを使用して対応する。
【００１２】  これらの物をショ−ケ−スの適宜な所に使用すれば超高断熱は、熱貫流率（Ｗ／ｍ２ｋ）１枚ガラスと比較しては約１／６になる。そのために室内の冷温保持の効率が高くなる。
また、ガラスに発生する結露も、室外（外部）の温度をカットすることで発生にくい。且つ、ショ−ケ−スに太陽熱エネルギ−が直接・間接に作用するときも１枚ガラスに対して、遮熱性能を比較して、約５倍の太陽熱をカットした冷房効果を行うことができる。
【００１３】  なお、ＵＶカット付（真空ガラスとＬＯＷ−Ｅガラス等で構成）を使用するので紫外線カット率（％）が約９０カット。１枚ガラス（約３０％）の約３倍が可能である。
尚、蛍光灯等一般照明にも紫外線が含まれているが、今回はショ−ケ−ス内の照明に発光ダイオ−ド（ＬＥＤ）を使い野菜・生物の食品等の冷凍庫に使い目的を果たす。
【００１４】  その２）  販売時の営業効率を高める為に、遠くからの商品・製品などの目視化とシンプルでスマ−トなデザインの冷蔵ショ−ケ−スの競合的なＰＲ化についてである。
樹脂材の導光板の表面に特殊加工法（例，ピラミット型の超音波エンボス加工）でキズを実施し、導光板の端面の周囲に発光ダイオ−ド（ＬＥＤ）をセットして、導光板の両側で拡散板で挟み筐体にて導光板を保持固定したものも必要に応じて使用する。
【００１５】  なお、１枚の導光板で両面発光ができる技術の開発で薄型のコンパクト製品ができる。従って、これらの特徴を発揮させるために、本考案のショ−ケ−スの所定の所に巧く使って効果をだした。その詳細は、別項目の実施するための形態のところにて述べる。
【考案の効果】
【００１６】  本考案は、上述の構成であるので従来の冷蔵ショ−ケ−スに比べ次の効果を奏する。
イ）従来のショ−ケ−スに使用の蛍光灯に比べ、発光ダイオ−ド（ＬＥＤ）の使用で、
（１）蛍光灯に比べ昆虫の好む紫外線の波長を出さない為に内部に置く食べ物等は            虫が寄りつきにくい。
（２）また、静電気も発生しにくいので、ほこりや塵などもつきにくい。
（３）消費電力が、蛍光灯に比べ従来の１／５ですみ、ＬＥＤの長寿命のために、            メンテナンスやコストの削減が可能である。
【００１７】      （４）ＬＥＤの超高輝度（白色発光）の使用で隅々まで均一な照度が可能である。
（５）メタクリル樹脂板の両面にピラミッド型（エンボス加工による）高効率導光            板の使用が可能である。
（又、１枚の導光板（超音波特殊加工による）で薄型両面発光板の使用も可）
ロ）ショ−ケ−スの内部の商品又は品物が遠くから鮮明に見えてユ−ザへのＰＲの効果      が大であるので、購買者（お客さん）への好印象の影響が大で営業価値を高める。
【考案を案施するための最良の形態】
【００１８】以下、本考案の実施の形態を図１の実施例について述べる。
課題の実施例は、イ）展示品又は名称の表示が遠いところから識別判断が鮮明にわかること。  ロ）また、野菜・魚などを展示するときに、従来より新鮮で、長い寿命等の効果を発揮する為にＥＬＤを有効な所に採用し、目的を大成した事の構成をのべる。
【００１９】  ５０は、長方形の立方体したシンプルなデザインで、ショ−ケ−スの中の展示品が左右の側面、上面及び前面から透視的にわかり易くするためにペア−ガラス、発光型／ＬＥＤ表示パネル、特殊の真空ガラスを各部に使用したことで、しかも、食料品の場合などは、新鮮さ・味の劣化等の防止の為に開発した「高輝度表示付／省エネ冷蔵ショ−ケ−ス」である。
【００２０】  本考案は、ショ−ケ−ス台（４０）にケ−ス台フレ−ム（４１）を取付け、フロント（１）の取付けフレ−ム内に透明ペア−ガラス（８）を取付ける。天上板（４）用の取付けフレ−ム内には、ペア−ガラス（７）および導光板付のＬＥＤ表示パネル（３０）を、また、左右側板（２、３）には真空ガラス付／導光板付のＬＥＤ表示パネルを取付ける。
棚（５）にも、真空ガラス付／導光板付のＬＥＤ表示パネルを取付ける。且つ、裏戸  （６）は、真空ガラス（スペ−シア）ユニット（２０）を装着して構成した物である。
0003154464.tif 000022
１０は、複層真空ガラス（２０）と導光板付のＬＥＤユニット（３０）とを組合せて、一体化したもので、組合わせた一体時の厚みは約２０ミリ程度で構成されている。
0003154464.tif 000023
８は、２重にした板ガラスの間に空気を入れた断熱用ガラスの透明ペア−ガラスであって  ショ−ケ−スの室内部が室外から見える透明仕様の透明ペア−ガラス（以下、これを
0003154464.tif 000024
３０は、超音波によるエンボス加工式導光板（１枚の導光板で薄型両面発光をする）の（  両面発光型）の導光板付のＬＥＤユニットである。
0003154464.tif 000025
【００２１】１７は、ショ−ケ−ス内の温暖化に伴う冷却水の溜まりの水タンクである。
１８は、ショ−ケ−ス内の温度・時間（制御）用タイマ等の電気制御盤である。
１９は、ショ−ケ−ス内を冷やす為の冷凍機である。
【００２２】
0003154464.tif 000026
２１は、熱エネルギ−の熱の放射を防ぎための「ＬＯＷ−Ｅガラス」である。
２２は、（２枚ガラスの間に真空を持つ）熱の伝導−熱移動の対流を防止の真空ガラス。
２３は、（２枚のガラスの間（真空）を保持するための）スペ−サである。
２４は、ガラスの間で密閉せるための封着材である。
２５は、（０．２ミリの厚みの）ＬＯＷ−Ｅ膜を形成する真空層である。
２６は、中空層で断熱材として使用のアルゴンガス層である。
２７は、熱の放射を防ぐためのＬＯＷ−Ｅ膜である。
【００２３】  なお、これらは次の機能を目的に使用される。
0003154464.tif 000027
３１は、電灯用及び発光用として使用される  発光ダイオ−ド（ＬＥＤ）である。
３２は、導光板の発光を拡散するための拡散板である。
３３は、特殊（ピラミッド型エンボス）加工によってＬＥＤの発散の発光を高効率にガイ    ドする導光板である。
３４は、導光板及び拡散板の間隔を保持するための筐体である。
３５は、拡散板の間隔に存在する空気層である。
【００２４】４０は、本考案のショ−ケ−スのベ−スとなる機台のショ−ケ−ス台である。
４１は、ショ−ケ−ス台に取付けのアルミ材又は鋼材を使用した機枠で各機枠内に、次の
0003154464.tif 000028
４２は、ショ−ケ−ス内を冷温する冷凍室（冷凍庫）である。
４３は、冷凍機用モ−タ又は、ランプ用等の電源用の差し込みプラグである。
４４は、ＬＥＤ灯又は、蛍光灯（４５ａ）用のランプカバ−である。
４５は、展示品又はショ−ケ−ス内を照らす為のＬＥＤ灯である。
４６は、冷温風をショ−ケ−ス内に送り込み取り込み用のファンである。
４７は、ファンコイル
４８は、ショ−ケ−ス内に冷温風を送り込み取り込み用の通気孔である。
４９は、電源用ＯＮ／ＯＦＦ用のスイッチの表示板である。
【００２５】５０は、本考案の「高輝度表示付／省エネ冷蔵ショ−ケ−ス」である。
５２は、上開き扉用の連結ロットである。
５４は、上開き扉用のショックアブソ−バである。
５５は、ショックアブソ−バ用のア−ム支点である。
５６は、カバ−及びケ−ス台フレ−ムをショ−ケ−ス台に取付時のボルト、ネジである。
５７は、食べ物、商品などを展示セットする為の棚の取付板である。
５８は、水タンク、冷凍機、及び制御盤の取付け部屋の各カバ−である。
【図面の簡単な説明】
【００２６】
【図１】本考案の  高輝度表示付／省エネ冷蔵ショ−ケ−スの斜視図である。
【図２】本考案の図１の  裏側（背面）から見た斜視図である。
【図３】本考案の図１の断面Ａ−Ａを示す。
【図４】（参考用）複層真空ガラス／（商品名；スペ−シヤ）の構成図  （ａ）複層真空ガラスの一部切断面の斜視図  （ｂ）  マル枠内のＫの部分拡大図
【図５】（参考用）両面発光型／（薄型）のＬＥＤ表示パネルの断面図
【図６】（参考用）図５の各構成部品の斜視図である。
【図７】真空ガラス／導光板付のＬＥＤ表示パネルの組合せ断面図  （ａ）真空ガラスと導光板付のＬＥＤ表示パネルの組合せ断面図  （ｂ）（参考用）真空ガラスの一部切断面の斜視図
【図８】従来の（上開き扉の）冷蔵ショ−ケ−スの断面図
【符号の説明】
【００２７】  １  フロント
２  左側板、    ３  右側板
４  天上板、    ４ａ  天上板前、    ４ｂ  天上板後
５  棚、        ５ａ  棚上、    ５ｂ    棚下
６  裏戸、      ６ａ  裏戸外、  ６ｂ  裏戸内
0003154464.tif 000029
１５  導光板付のＬＥＤ表示パネル
１７  水タンク
１８  電気制御盤
１９  冷凍機
0003154464.tif 000030
２１  ＬＯＷ−Ｅガラス、  ２３  スペサ−
２２  真空ガラス      ２５  真空
２７  ＬＯＷ−Ｅ膜
0003154464.tif 000031
３１  ＬＥＤ、  （又は，発光ダイオ−ド）
３２  拡散板
３３  導光板
３５  空気層【００２８】４０  ショ−ケ−ス台
４１  ケ−ス台フレ−ム、    ４１ａ  フレ−ム左、    ４１ｂ  フレ−ム右
４１ｃ  フレ−ム天上、  ４１ｄ  フレ−ム裏戸、  １４ｅ  フレ−ム棚
４２  冷凍室、    又は，冷凍庫
４３  プラグ、    ４４  ランプ  カバ−、
４５  ＬＥＤ灯、  ４５ａ  蛍光灯
４６  ファン、      ４７  フアン  コイル、    ４８  通気孔
４９  スイッチ表示板
５０  高輝度表示付／省エネ冷蔵ショ−ケ−ス
５４  ショックアブソ−バ−            ５６  ネジ、  又は，ボルト
５７  棚取付板
５８  カバ−、    ５８ａ  水タンク、  ５８ｂ  冷凍機、  ５８ｃ  制御盤【００２９】
0003154464.tif 000032
Ｔ  厚（さ）≒（Ｔ１＋Ｔ２＋Ｔ３）≒２２ミリ
Ｔ１  導光板厚、  Ｔ２  スペサ−厚、  Ｔ３  真空ガラス厚